(57)【要約】【課題】端末自体の小型化や薄型化を容易に図ることが可能な折り畳み型携帯通信端末を提供する。【解決手段】折り畳み型携帯通信端末は上部筐体１ａ側と下部筐体１ｂ側とがヒンジ部２によって回動自在に軸止されている。コイン型バッテリ３はヒンジ部２の内部空洞の内径に合わせた円柱形となっており、そのヒンジ部２の内部空洞内の中央部に実装され、ヒンジ部２の内部空洞内を通りかつ上部筐体１ａ内の基板と下部筐体１ｂ内の基板とを電気的に接続するための信号線群が配設されたフレキシブル基板４に電気的に接続されている。【選択図】      図２
2004193913.tif 000002
【特許請求の範囲】
【請求項１】
上部筐体及び下部筐体がヒンジ部にて回動自在に軸止された折り畳み型携帯通信端末であって、前記ヒンジ部の内部空洞内に実装されかつ少なくとも内部情報を保持するために電源を供給するコイン型バッテリを有することを特徴とする折り畳み型携帯通信端末。
【請求項２】
前記コイン型バッテリは、少なくとも通話先の電話番号及び電子メールアドレスの情報と制御情報とを保持する内蔵メモリと、少なくとも予定表を表示するためのカレンダ機能とに電源を供給することを特徴とする請求項１記載の折り畳み型携帯通信端末。
【請求項３】
前記コイン型バッテリを前記ヒンジ部の内部空洞内に着脱自在に実装したことを特徴とする請求項１または請求項２記載の折り畳み型携帯通信端末。
【請求項４】
上部筐体及び下部筐体がヒンジ部にて回動自在に軸止された折り畳み型携帯通信端末のコイン型バッテリの実装方法であって、少なくとも内部情報を保持するために電源を供給するコイン型バッテリを前記ヒンジ部の内部空洞内に実装したことを特徴とするコイン型バッテリの実装方法。
【請求項５】
前記コイン型バッテリは、少なくとも通話先の電話番号及び電子メールアドレスの情報と制御情報とを保持する内蔵メモリと、少なくとも予定表を表示するためのカレンダ機能とに電源を供給することを特徴とする請求項４記載のコイン型バッテリの実装方法。
【請求項６】
前記コイン型バッテリを前記ヒンジ部の内部空洞内に着脱自在に実装したことを特徴とする請求項４または請求項５記載のコイン型バッテリの実装方法。
【発明の詳細な説明】
【０００１】
【発明の属する技術分野】
本発明は折り畳み型携帯通信端末及びそれに用いるコイン型バッテリの実装方法に関し、特に携帯通信端末において内蔵メモリ及びカレンダ機能に電源を供給するコイン型バッテリの実装方法に関する。
【０００２】
【従来の技術】
従来、携帯通信端末においては、通話先の電話番号や電子メールアドレス等の情報、あるいは電話番号が非通知の受信を拒否する非通知受信拒否等の制御情報を保持しておくための内蔵メモリ、予定表等を表示するためのカレンダ機能が実装されており、これらには端末本体に電源を供給する充電型のバッテリとは別のコイン型バッテリから電源が供給されている。
【０００３】
端末本体に電源を供給する充電型のバッテリは、長時間の通話や待ち受けを実現するために大容量の電池が用いられるため、筐体の容積において大きな割合いを占めているが、コイン型バッテリは内蔵メモリやカレンダ機能への電源の供給だけなので、それ程大きな容積を占めることはなく、コイン型バッテリのパックが本体基板上に搭載されている。
【０００４】
上記のコイン型バッテリの電子機器への実装方法としては、様々な方式が提案されているおり、本体基板上に直接半田付けしたり、本体基板上に半田付けされたホルダ内に収納する方式がある（例えば、特許文献１参照）。
【０００５】
【特許文献１】
特開平１１−１６２４３２号公報（第３，４頁、図１）
【０００６】
【発明が解決しようとする課題】
上述した従来の携帯通信端末では、内蔵メモリやカレンダ機能に電源を供給するためにコイン型バッテリが用いられており、φ４〜６ｍｍ程度で、高さが数ｍｍ程度あるコイン型バッテリを本体基板上に直接搭載したり、あるいは本体基板上に搭載されたホルダに収納したりすると、コイン型バッテリの部品高さが問題となり、端末自体の薄型化や小型化を図る上でコイン型バッテリが問題となってくる。
【０００７】
そこで、本発明の目的は上記の問題点を解消し、端末自体の小型化や薄型化を容易に図ることができる折り畳み型携帯通信端末及びそれに用いるコイン型バッテリの実装方法を提供することにある。
【０００８】
【課題を解決するための手段】
本発明による折り畳み型携帯通信端末は、上部筐体及び下部筐体がヒンジ部にて回動自在に軸止された折り畳み型携帯通信端末であって、前記ヒンジ部の内部空洞内に実装されかつ少なくとも内部情報を保持するために電源を供給するコイン型バッテリを備えている。
【０００９】
本発明によるコイン型バッテリの実装方法は、上部筐体及び下部筐体がヒンジ部にて回動自在に軸止された折り畳み型携帯通信端末のコイン型バッテリの実装方法であって、少なくとも内部情報を保持するために電源を供給するコイン型バッテリを前記ヒンジ部の内部空洞内に実装している。
【００１０】
すなわち、本発明の折り畳み型携帯通信端末は、通話先の電話番号や電子メールアドレス等の情報、あるいは電話番号が非通知の受信を拒否する非通知受信拒否等の制御情報を保持する内蔵メモリ、予定表等を表示するためのカレンダ機能に電源を供給する、つまり少なくとも内部情報を保持するために電源を供給するコイン型バッテリを、上部筐体及び下部筐体を回動自在に軸止するヒンジ部の内部空洞内に実装している。
【００１１】
これによって、本発明の折り畳み型携帯通信端末では、端末自体の薄型化や小型化を図る上でのネックとなっているコイン型バッテリの部品高さの問題を解決することが可能となり、端末自体の薄型化や小型化を容易に図ることが可能となる。
【００１２】
また、本発明の折り畳み型携帯通信端末では、コイン型バッテリをヒンジ部内部に実装することで、携帯通信端末の外形サイズに影響を与えることなく、大容量のコイン型バッテリの実装が可能となり、コイン型バッテリのサイズに起因する容量を維持しつつ、携帯通信端末の小型化及び薄型化を図ることが可能となる。
【００１３】
【発明の実施の形態】
次に、本発明の実施例について図面を参照して説明する。図１は本発明の一実施例による携帯通信端末の斜視図である。図１において、本発明の一実施例による携帯通信端末は、上部筐体１ａと下部筐体１ｂとがヒンジ部２によって回動自在に軸止された折り畳み型携帯通信端末１である。
【００１４】
本実施例では、図１に示すように、ヒンジ部２の内部空洞の内径に合わせた円柱形のコイン型バッテリ３を、そのヒンジ部２の内部空洞に実装している。本実施例による実装例では、コイン型バッテリ３が長期間交換不要とみなして、ヒンジ部２の内部空洞の中央部に配設している。
【００１５】
つまり、コイン型バッテリ３は通話先の電話番号や電子メールアドレス等の情報、あるいは電話番号が非通知の受信を拒否する非通知受信拒否等の制御情報を保持しておくための内蔵メモリ（図示せず）や予定表等を表示するためのカレンダ機能（図示せず）に電源を供給するものであり、その消費電力が小さいため、長期間交換不要とみなしている。
【００１６】
図２は図１のコイン型バッテリ３の内部実装形態を示す図である。図２において、コイン型バッテリ３はその−電極及び＋電極が、ヒンジ部２の内部空洞内において、その内部を挿通され、上部筐体１ａ内の基板（図示せず）と下部筐体１ｂ内の基板（図示せず）とを電気的に接続するための信号線群が配設されたフレキシブル基板４に電気的に接続されている。
【００１７】
この場合、コイン型バッテリ３の固定方法としては、ヒンジ部２の内部空洞内に、コイン型バッテリ３を収納するための溝や突起部を設ける方法、あるいはコイン型バッテリ３を保持するための保持部材をヒンジ部２の内部空洞内において左右から挿入する方法等が考えられるが、その固定方法としては、コイン型バッテリ３がヒンジ部２の内部空洞内で安定して固定されるのであれば、どのような方法を用いてもよい。
【００１８】
また、コイン型バッテリ３の−電極及び＋電極のフレキシブル基板４への電気的な接続方法についても、半田付け等の様々な方法があるが、その方法については問わない。
【００１９】
このように、本実施例では、コイン型バッテリ３をヒンジ部２の内部空洞内にに実装することによって、コイン型バッテリ３が電池容量を確保するためにその高さを維持しつつ、携帯通信端末１の厚さや外形の薄型化や小型化を容易に図ることができる。
【００２０】
図３は本発明の一実施例による携帯通信端末へのコイン型バッテリ３の他の実装形態を示す斜視図であり、図４は図３のコイン型バッテリ３の内部実装形態を示す図である。これら図３及び図４においては、ヒンジ部２の内部空洞の内径に合わせた円柱形のコイン型バッテリ３がそのヒンジ部２の内部空洞内の端部に実装した例を示している。
【００２１】
この実装例では、コイン型バッテリ３を交換可能な状態で実装する例を示しており、フレキシブル基板４には予めコイン型バッテリ３を収納するバッテリケース５がリード線等で電気的に接続されかつフレキシブル基板４から外れないように取り付けられている。
【００２２】
コイン型バッテリ３はこのバッテリケース５内に、−電極及び＋電極がそれぞれ対応する位置に固定されるように収容され、バッテリケース５ごとヒンジ部２の内部空洞内に収容される。したがって、バッテリケース５をヒンジ部２の内部空洞内の端部に配置しておくことで、コイン型バッテリ３が容易に交換可能となる。
【００２３】
したがって、本実装例では、形態通信端末１の小型化や薄型化を図るという上記の効果のほかに、コイン型バッテリ３をヒンジ部２から取り外し自在となるので、上部筐体１ａ及び下部筐体１ｂを開けることなく、バッテリ交換を行うことができる。
【００２４】
【発明の効果】
以上説明したように本発明は、上部筐体及び下部筐体がヒンジ部にて回動自在に軸止された折り畳み型携帯通信端末において、少なくとも内部情報を保持するために電源を供給するコイン型バッテリをヒンジ部の内部空洞内に実装することによって、端末自体の小型化や薄型化を容易に図ることができるという効果が得られる。
【図面の簡単な説明】
【図１】本発明の一実施例による携帯通信端末の斜視図である。
【図２】図１のコイン型バッテリの内部実装形態を示す図である。
【図３】本発明の一実施例による携帯通信端末へのコイン型バッテリの他の実装形態を示す斜視図である。
【図４】図３のコイン型バッテリの内部実装形態を示す図である。
【符号の説明】
１  携帯通信端末
１ａ  上部筐体
１ｂ  下部筐体
２  ヒンジ部
３  コイン型バッテリ
４  フレキシブル基板
５  バッテリケース
【図１】
2004193913.tif 000003
【図２】
2004193913.tif 000004
【図３】
2004193913.tif 000005
【図４】
2004193913.tif 000006